(57)【要約】【課題】筐体本体に取り付けられた筐体扉の開閉状態を監視し、不正な開閉行為を確実に発見することが可能な筐体構造を提供する。【解決手段】条件判断部２４により開閉検知センサ２１および開放角度検知センサ２２における検知状態を監視し、開閉検知センサ２１により筐体扉の開状態が検知され、かつ開放角度検知センサ２２により所定の開放角度に達しない状態が所定時間以上継続したことを検知した場合に、異常開放状態であると判断して、警報信号を発生する。【選択図】          図１
2004329649.tif 000002
【特許請求の範囲】
【請求項１】
筐体本体に対して筐体扉を開閉可能に取り付けた筐体構造であって、
前記筐体扉の開閉を検知する開閉検知手段と、
前記筐体扉の開放角度を検知する開放角度検知手段と、
前記開閉検知手段および前記開放角度検知手段における検知状態を監視し、前記筐体扉が開状態であり、かつ所定の開放角度に達しない状態が所定時間以上継続したと判断された場合に警報信号を発生する条件判断手段とを備えたことを特徴とする筐体構造。
【請求項２】
筐体本体に対して筐体扉を開閉可能に取り付けた筐体構造であって、
前記筐体扉の開閉および開放角度を検知する開閉状態検知手段と、
前記開閉状態検知手段における検知状態を監視し、前記筐体扉が開状態であり、かつ所定の開放角度に達しない状態が所定時間以上継続したと判断された場合に警報信号を発生する条件判断手段とを備えたことを特徴とする筐体構造。
【請求項３】
筐体本体に対して筐体扉を開閉可能に取り付けた筐体構造であって、
前記筐体扉の開閉を検知する開閉検知手段と、
前記筐体扉の開放速度を検知する開放速度検知手段と、
前記開閉検知手段および前記開放速度検知手段における検知状態を監視し、前記筐体扉が開状態であり、かつ所定の期間における開放速度が所定値に達しないと判断された場合に警報信号を発生する条件判断手段とを備えたことを特徴とする筐体構造。
【請求項４】
筐体本体に対して筐体扉を開閉可能に取り付けた筐体構造であって、
前記筐体扉の開閉および開放速度を検知する開閉状態検知手段と、
前記開閉状態検知手段における検知状態を監視し、前記筐体扉が開状態であり、かつ所定の期間における開放速度が所定値に達しないと判断された場合に警報信号を発生する条件判断手段とを備えたことを特徴とする筐体構造。
【請求項５】
前記条件判断手段から警報信号が発生された場合に、異常開放状態である旨を告知する警告手段を備えたことを特徴とする請求項１〜４のうちいずれか１項記載の筐体構造。
【請求項６】
前記条件判断手段から警報信号が発生された場合に、該警報信号を筐体外部に送信することを特徴とする請求項１〜４のうちいずれか１項記載の筐体構造。
【発明の詳細な説明】
【０００１】
【発明の属する技術分野】
本発明は、筐体本体に対して筐体扉を開閉可能に取り付けた筐体構造に関し、特に、筐体扉の開閉状態を検知できるようにした筐体構造に関する。
【０００２】
【従来の技術】
遊技機等の筐体構造では、筐体内に収容された種々の機構のメンテナンスを行うために、筐体本体の前面に開閉可能な筐体扉が取り付けられている。この筐体扉は、本来、遊技機等の筐体構造内部のメンテナンスを行うために設けられたものであり、施錠機構を設けることにより、メンテナンスを行う遊技店員等のみが開閉を行うことができるようになっている。
【０００３】
また、遊技者等により筐体扉が開放され、筐体本体内に収容された種々の機構を不正に動作させる不正行為を防止するために、筐体扉の開閉状態を検知するための開閉検知機構を設けた遊技機の筐体構造が知られている（例えば、特許文献１参照）。
【０００４】
【特許文献１】
特開２００１−３２３７２２号公報
【０００５】
【発明が解決しようとする課題】
しかしながら、筐体構造に開閉検知機構を設けることにより筐体扉の開閉状態を検知することはできるが、上述したように、開閉扉は筐体構造内部のメンテナンスを行う場合にも開閉されるものであり、開閉検知機構による検知のみでは、メンテナンスに伴う正当な開閉であるか、不正行為を行うための開閉であるかを区別することは難しかった。
【０００６】
そこで、遊技店内に防犯カメラを取り付け、筐体扉の開閉を監視することも考えられる。しかしながら、防犯カメラで遊技店内の全てを監視することは難しく、特に不正行為者により故意に死角が作られた場合には、メンテナンスに伴う正当な開閉であるか、不正行為を行うための開閉であるかを見極めることができなかった。
【０００７】
本発明は、上述した事情に鑑み提案されたもので、筐体本体に取り付けられた筐体扉の開閉状態を監視し、不正な開閉行為を確実に発見することが可能な筐体構造を提供することを目的とする。
【０００８】
【課題を解決するための手段】
本発明に係る筐体構造は、上述した目的を達成するため、以下の特徴点を備えている。なお、本発明に係る筐体構造の各構成要素について、図面に付した符号を参照して、具体的な適用例を示すが、各構成要素はこれらに限定されるものではない。
【０００９】
本発明に係る筐体構造は、筐体本体（１ａ）に対して筐体扉（１ｂ）を開閉可能に取り付けた筐体構造であって、
前記筐体扉（１ｂ）の開閉を検知する開閉検知手段（例えば、開閉検知センサ２１）と、
前記筐体扉（１ｂ）の開放角度を検知する開放角度検知手段（例えば、開放角度検知センサ２２）と、
前記開閉検知手段（開閉検知センサ２１）および前記開放角度検知手段（開放角度検知センサ２２）における検知状態を監視し、前記筐体扉（１ｂ）が開状態であり、かつ所定の開放角度に達しない状態が所定時間以上継続したと判断された場合に警報信号を発生する条件判断手段（条件判断部２４）とを備えたことを特徴とするものである。
【００１０】
このような構成からなる筐体構造では、条件判断手段（条件判断部２４）により開閉検知手段（開閉検知センサ２１）および開放角度検知手段（開放角度検知センサ２２）における検知状態を監視し、開閉検知手段（開閉検知センサ２１）により筐体扉（１ｂ）の開状態が検知され、かつ開放角度検知手段（開放角度検知センサ２２）により所定の開放角度に達しない状態が所定時間以上継続したことを検知した場合に、異常開放状態であると判断して、警報信号を発生する。
【００１１】
ところで、メンテナンス等の正常な開閉動作である場合には、筐体扉（１ｂ）を全開に近い状態として作業を行うが、不正行為を行おうとして筐体扉（１ｂ）を開く場合には、監視カメラで撮影されたり遊技店員に発見されることを恐れて、筐体扉（１ｂ）を少しだけ開く場合が多い。したがって、開閉扉が開状態であり、かつ所定の開放角度（例えば、全開状態）に達しない状態が所定時間以上継続した場合には、不正行為が行われていると判断することができる。
【００１２】
そこで、本発明に係る筐体構造では、上述した不正行為が行われていると疑われる状態となった場合に警報信号を発生することにより、迅速かつ確実に不正行為を取り締まることができる。
【００１３】
また、本発明に係る筐体構造は、筐体本体（１ａ）に対して筐体扉（１ｂ）を開閉可能に取り付けた筐体構造であって、
前記筐体扉（１ｂ）の開閉および開放角度を検知する開閉状態検知手段（例えば、開閉状態検知センサ３１）と、
前記開閉状態検知手段（開放角度検知センサ２２）における検知状態を監視し、前記筐体扉（１ｂ）が開状態であり、かつ所定の開放角度に達しない状態が所定時間以上継続したと判断された場合に警報信号を発生する条件判断手段（条件判断部３３）とを備えたことを特徴とするものである。
【００１４】
このような構成からなる筐体構造では、条件判断手段（条件判断部３３）により開閉状態検知手段（開閉状態検知センサ３１）における検知状態を監視し、開閉状態検知手段（開閉状態検知センサ３１）により筐体扉（１ｂ）の開状態が検知され、かつ所定の開放角度に達しない状態が所定時間以上継続したことを検知した場合に、異常開放状態であると判断して、警報信号を発生する。
【００１５】
このように、筐体扉（１ｂ）の開閉と開放角度とを１つの検知手段により検知することにより、部品点数を減らすことができ、製造コストおよびメンテナンスコストの低減を図ることができる。
【００１６】
また、本発明に係る筐体構造は、筐体本体（１ａ）に対して筐体扉（１ｂ）を開閉可能に取り付けた筐体構造であって、
前記筐体扉（１ｂ）の開閉を検知する開閉検知手段（開閉検知センサ２１）と、
前記筐体扉（１ｂ）の開放速度を検知する開放速度検知手段（例えば、開放速度検知センサ４１）と、
前記開閉検知手段（開閉検知センサ２１）および開放速度検知手段（開放速度検知センサ４１）における検知状態を監視し、前記筐体扉（１ｂ）が開状態であり、かつ所定の期間における開放速度が所定値に達しないと判断された場合に警報信号を発生する条件判断手段（条件判断部４３）とを備えたことを特徴とするものである。
【００１７】
このような構成からなる筐体構造では、条件判断手段（条件判断部４３）により開閉検知手段（開閉検知センサ２１）および開放速度検知手段（開放速度検知センサ４１）における検知状態を監視し、開閉検知手段（開閉検知センサ２１）により筐体扉（１ｂ）の開状態が検知され、かつ開放速度検知手段（開放速度検知センサ４１）により所定の期間における開放速度が所定値以下であることが検知された場合に、異常開放状態であると判断して、警報信号を発生する。
【００１８】
上述したように、メンテナンス等の正常な開閉動作である場合には、筐体扉（１ｂ）を全開に近い状態として作業を行うが、この際、筐体扉（１ｂ）は一気に開かれる。一方、不正行為を行おうとして筐体扉（１ｂ）を開く場合には、筐体扉（１ｂ）を少しだけ開く場合が多い。
【００１９】
ここで、筐体扉（１ｂ）を全開に近い状態まで開いたと仮定すると、正常な開放時と比較して、不正行為が行われた場合には、全閉状態から全開状態に至るまでに要する時間が長くなる。すなわち、正常な開放時と比較して、不正行為が行われた場合には、全閉状態から全開状態に至るまでの期間における開放速度が遅くなる。したがって、開閉扉が開状態であり、かつ所定の期間における開放速度が所定値に達しない場合には、不正行為が行われていると判断することができる。
【００２０】
そこで、本発明に係る筐体構造では、上述した不正行為が行われていると疑われる状態となった場合に警報信号を発生することにより、迅速かつ確実に不正行為を取り締まることができる。
【００２１】
また、本発明に係る筐体構造は、筐体本体（１ａ）に対して筐体扉（１ｂ）を開閉可能に取り付けた筐体構造であって、
前記筐体扉（１ｂ）の開閉および開放速度を検知する開閉状態検知手段（例えば、開閉速度検知センサ４１）と、
前記開閉状態検知手段（開閉速度検知センサ４１）における検知状態を監視し、前記筐体扉（１ｂ）が開状態であり、かつ所定の期間における開放速度が所定値に達しないと判断された場合に警報信号を発生する条件判断手段（条件判断部４３）とを備えたことを特徴とするものである。
【００２２】
このような構成からなる筐体構造では、条件判断手段（条件判断部４３）により開閉状態検知手段（開閉速度検知センサ４１）における検知状態を監視し、開閉状態検知手段（開閉速度検知センサ４１）により筐体扉（１ｂ）の開状態が検知され、かつ所定の期間における開放速度が所定値以下であることが検知された場合に、異常開放状態であると判断して、警報信号を発生する。
【００２３】
このように、筐体扉（１ｂ）の開閉と開放速度とを１つの検知手段により検知することにより、部品点数を減らすことができ、製造コストおよびメンテナンスコストの低減を図ることができる。
【００２４】
また、本発明に係る筐体構造は、前記構成に加えて、前記条件判断手段（条件判断部２４、３３，４３）から警報信号が発生された場合に、異常開放状態である旨を告知する警告手段（例えば、警告部２５，３４，４４）を備えたことを特徴とするものである。
【００２５】
このような構成からなる筐体構造では、不正行為が行われたと判断された場合に、警告手段（警告部２５，３４，４４）による告知が行われるので、不正行為が行われていることをいち早く遊技店員等に知らせて、適切な処理を施すことができる。
【００２６】
また、本発明に係る筐体構造は、前記構成に加えて、前記条件判断手段（条件判断部２４，３３，４３）から警報信号が発生された場合に、該警報信号を筐体外部に送信することを特徴とするものである。
【００２７】
このような構成からなる筐体構造では、不正行為が行われたと判断された場合に、警報信号を筐体外部に送信する。そして、管理装置５０等により警報信号を監視することにより、不正行為が行われていることをいち早く認識して、適切な処理を施すことができる。
【００２８】
【発明の実施の形態】
以下、図面を参照して、本発明に係る筐体構造の実施形態を説明する。
なお、以下の説明では、代表的な筐体構造としてパチスロ遊技機の筐体構造を例にとって説明を行うが、本発明に係る筐体構造はこれに限定されるものではない。
【００２９】
図７は、本発明の実施形態に係るパチスロ遊技機の斜視図である。
本発明の実施形態に係るパチスロ遊技機は、図７に示すように、筐体本体１ａの前面に筐体扉１ｂを開閉可能に取り付けることにより遊技機筐体１が構成されている。
【００３０】
筐体扉１ｂの前面のほぼ中央より上部には、正面パネル２が配設されており、この正面パネル２には、筐体本体１ａ内に配設したリール３ａ，３ｂ，３ｃの表面が臨む３個の表示窓４ａ，４ｂ，４ｃを横並びに配設し、表示窓４ａ，４ｂ，４ｃの下方には、演出表示等を行う液晶表示装置５を配設し、表示窓４ａ，４ｂ，４ｃには、表示窓４ａ，４ｂ，４ｃを横断するようにして合計５本の有効ライン表示６ａ，６ｂ，６ｃ，６ｄ，６ｅが施されている。
【００３１】
この有効ライン表示は、横３本の有効ライン表示６ｂ，６ｃ，６ｄ、およびこれらと交差する斜め２本の有効ライン表示６ａ，６ｅからなり、遊技に供された遊技メダル数によって有効となるライン数が変化する。
【００３２】
また、正面パネル２には、表示窓４ａの左側に位置するようにして、遊技に供された遊技メダル数と有効ライン表示６ａ，６ｂ，６ｃ，６ｄ，６ｅとの対応関係を表示するための３つの有効ラインランプ７ａ，７ｂ，７ｃが設けられている。さらに、有効ラインランプ７ａ，７ｂ，７ｃの上下には、パチスロ遊技機における遊技情報を表示するための複数の表示ランプ８ａ，８ｂ，８ｃが設けられている。この表示ランプ８ａ，８ｂ，８ｃは、例えば、遊技メダルの投入許可、遊技開始許可、ボーナス遊技の内部当選、遊技禁止、打ち止め、および後に詳述する筐体扉１ｂの異常開放状態の告知等、種々の表示に用いることができる。
【００３３】
正面パネル２の下方には、遊技に供する遊技メダルを投入するためのメダル投入口９、クレジットされた範囲内で遊技に供する遊技メダルを投入するためのベットボタン１０、クレジットされた遊技メダルを払い出すための貯留メダル精算ボタン１１、リール３ａ，３ｂ，３ｃの回転を一斉に開始させるためのスタートレバー１２、および各リール３ａ，３ｂ，３ｃの回転を個別に停止させるための３個のストップボタン１３ａ，１３ｂ，１３ｃ等が設けられている。
【００３４】
また、スタートレバー１２等の下方に位置する筐体扉１ｂの前面下部には、装飾表示を行うための腰部パネル１４が配設されている。さらに、腰部パネル１４の下方には、遊技メダルを払い出すためのメダル払出口１５が設けられているとともに、メダル払出口１５に臨むようにして遊技メダルを貯留するためのメダル貯留皿１６が設けられている。
【００３５】
また、正面パネル２の上方に位置する筐体扉１ｂの前面上部には、配当表パネル１７、および一対のスピーカ１８ａ，１８ｂが設けられている。
なお、図示しないが、筐体本体１ａ内には、所定の賞態様が構成された場合に遊技メダルを払い出すためのホッパが設けられている。
【００３６】
また、本実施形態に係るパチスロ遊技機は、筐体扉１ｂの開閉状態を検知するための開閉状態検知装置を備えている。
以下、筐体扉１ｂの開閉状態を検知するための開閉状態検知装置の具体的な実施形態について説明する。
【００３７】
＜第１の実施形態＞
第１の実施形態に係る開閉状態検知装置２０は、筐体扉１ｂの開閉を検知する開閉検知センサ２１と、筐体扉１ｂの開放角度を検知する開放角度検知センサ２２を備えており、開閉検知センサ２１および開放角度検知センサ２２における検知状態に応じて、筐体扉１ｂの異常開放を検知するようにしたものである。
【００３８】
図１は、第１の実施形態に係る開閉状態検知装置を示すもので、（ａ）は筐体本体および筐体扉の模式図、（ｂ）は開放角度検知センサの模式図、（ｃ）は開閉状態検知装置の概略構成を示すブロック図である。また、図４は、第１の実施形態に係る開閉状態検知装置おいて、筐体扉の異常開放を検知する手順を示すフローチャートである。
【００３９】
図１（ａ）に示すように、筐体本体１ａに対して、左側が支持部となり、右側が開放端となるようにして、筐体扉１ｂが開閉可能に取り付けられている（第２の実施形態および第３の実施形態においても同様）。
【００４０】
筐体本体１ａの開放端側には、図１（ａ）に示すように、開閉検知センサ２１が取り付けられており、開閉検知センサ２１の検知部２１ａにより筐体扉１ｂの開閉を検知するようになっている。すなわち、検知部２１ａが筐体扉１ｂを検知している状態が閉状態であり、検知部２１ａが筐体扉１ｂを検知していない状態が開状態である。
【００４１】
また、図１（ｂ）に示すように、筐体扉１ｂの回動軸１９には、筐体扉１ｂの開閉に従って回動する円板状の遮蔽板２３が取り付けられており、筐体本体１ａには、遮蔽板２３に臨むようにして開放角度検知センサ２２が取り付けられている。さらに、遮蔽板２３には、筐体扉１ｂが全開状態（例えば、筐体本体１ａに対して約９０°の位置）となった際に、開放角度検知センサ２２の検知部２２ａに検知される位置に切り欠き部２３ａが設けられている。
【００４２】
したがって、筐体扉１ｂが全開状態にまで回動すると、開放角度検知センサ２２の検知部２２ａが遮蔽板２３の切り欠き部２３ｂを検知して、筐体扉１ｂが全開状態となったことを検知することができる。
【００４３】
第１の実施形態に係る開閉状態検知装置２０は、図１（ｃ）に示すように、前記開閉検知センサ２１および前記開放角度検知センサ２２と、条件判断部２４と、警告部２５とを備えている。
【００４４】
条件判断部２４は、例えばパチスロ遊技機の動作を制御する制御装置により構成することができる。なお、制御装置とは独立して動作するマイクロプロセッサ等により条件判断部２４を構成してもよい。
【００４５】
警告部２５は、例えば、表示ランプ８ａ，８ｂ，８ｃ、スピーカ１８ａ，１８ｂ等により構成することができる。なお、警告を行う特別のランプを設けてもよいし、液晶表示装置５や、他のランプ、ＬＥＤ等により警告部２５を構成してもよい。警告部２５による警告は、表示ランプ８ａ，８ｂ，８ｃ等を用いた視覚的警告、およびスピーカ１８ａ，１８ｂを用いた聴覚的警告のいずれか、あるいはこれらを組み合わせたものであってもよい。
【００４６】
次に、図１（ｃ）および図４を参照して、筐体扉１ｂの異常開放を検知する手順を説明する。
条件判断部２４は、開閉検知センサ２１および開放角度検知センサ２２における検知状態を監視しており（Ｓ１１，Ｓ１２）、開閉検知センサ２１により筐体扉１ｂの開状態が検知され、かつ開放角度検知センサ２２により所定の開放角度に達しない状態が所定時間以上継続したことが検知されると、警報信号を発生する（Ｓ１３）。
【００４７】
一方、筐体扉１ｂが閉状態の場合、あるいは筐体扉１ｂが開状態であっても、所定の開閉角度に達しない状態が所定時間以上継続しない場合には、警報信号は発生しない。
【００４８】
そして、警報信号が発生されると、警告部２５により筐体扉１ｂが異常開放状態である旨の報知が行われる。具体的には、表示ランプ８ａ，８ｂ，８ｃのいずれかを点灯あるいは点滅させたり、スピーカ１８ａ，１８ｂから警告音を発生する。
【００４９】
さらに、警報信号は、遊技店内の適宜箇所に設けられた管理装置５０に送信される。管理装置５０では、警報信号を受信すると、管理室内に設置された警告ランプ（図示せず）を点灯あるいは点滅させたり、スピーカ（図示せず）から警告音を発生する。
【００５０】
第１の実施形態に係る開閉状態検知装置２０によれば、不正行為を行おうとして筐体扉１ｂを少しだけ開いた状態が所定時間以上継続した場合に警告を行うことができ、筐体扉１ｂの不正開放を予防することができる。
【００５１】
なお、異常開放状態を検知するための所定時間は、特に規定されるものではないが、メンテナンス等に伴う正常な開放時において、筐体扉１ｂが全閉状態から全開状態となる時間を所定時間とする。例えば、所定時間として５秒を設定することができる。
【００５２】
＜第２の実施形態＞
第２の実施形態に係る開閉状態検知装置３０は、筐体扉１ｂの全閉状態および全開状態を検知する開閉状態検知センサ３１を設け、開閉状態検知センサ３１における検知状態に応じて、筐体扉１ｂの異常開放状態を検知するようにしたものである。
【００５３】
図２は、第２の実施形態に係る開閉状態検知装置を示すもので、（ａ）は筐体本体および筐体扉の模式図、（ｂ）は全閉状態における開閉状態検知センサの模式図、（ｃ）は全開状態における開閉状態検知センサの模式図、（ｄ）は、開閉状態検知装置の概略構成を示すブロック図である。また、図５は、第２の実施形態に係る開閉状態検知装置おいて、筐体扉の異常開放を検知する手順を示すフローチャートである。
【００５４】
図２（ａ）に示すように、筐体扉１ｂの回動軸１９には、筐体扉１ｂの開閉に従って回動する円板状の遮蔽板３２が取り付けられており、筐体本体１ａには、遮蔽板３２に臨むようにして開閉状態検知センサ３１が取り付けられている。さらに、遮蔽板３２には、筐体扉１ｂが全閉状態および全開状態（例えば、筐体本体１ａに対して約９０°の位置）となった際に、開閉状態検知センサ３１の検知部３１ａに検知される位置に切り欠き部３２ａ，３２ｂが設けられている。
【００５５】
したがって、筐体扉１ｂが全閉状態となっている場合、あるいは全開状態にまで回動した場合に、開閉状態検知センサ３１の検知部３１ａが遮蔽板３２の切り欠き部３２ａ，３２ｂを検知して、筐体扉１ｂが全閉状態あるいは全開状態となっていることを検知することができる。
【００５６】
第２の実施形態に係る開閉状態検知装置３０は、図２（ｄ）に示すように、前記開閉状態検知センサ３１と、条件判断部３３と、警告部３４とを備えている。条件判断部３３および警告部３４の構成は、上記実施形態１に係る開閉状態検知装置２０と同様である。
【００５７】
次に、図２（ｄ）および図５を参照して、筐体扉１ｂの異常開放を検知する手順を説明する。
条件判断部３３は、開閉状態検知センサ３１における検知状態を監視しており（Ｓ２１）、開閉状態検知センサ３１により筐体扉１ｂが全閉あるいは全開とならない状態が所定時間以上継続して検知されると、警報信号を発生する（Ｓ２２）。
【００５８】
そして、警報信号が発生されると、警告部３４により筐体扉１ｂが異常開放状態である旨の報知が行われる。具体的には、表示ランプ８ａ，８ｂ，８ｃのいずれかを点灯あるいは点滅させたり、スピーカ１８ａ，１８ｂから警告音を発生する。
【００５９】
さらに、警報信号は、遊技店内の適宜箇所に設けられた管理装置５０に送信される。管理装置５０では、警報信号を受信すると、管理室内に設置された警告ランプ（図示せず）を点灯あるいは点滅させたり、スピーカ（図示せず）から警告音を発生する。
【００６０】
第２の実施形態に係る開閉状態検知装置によれば、不正行為を行おうとして筐体扉１ｂを少しだけ開いた状態が所定時間以上継続した場合に警告を行うことができ、筐体扉１ｂの不正開放を予防することができる。
【００６１】
なお、異常開放状態を検知するための所定時間は、特に規定されるものではないが、メンテナンス等に伴う正常な開放時において、筐体扉１ｂが全閉状態から全開状態となる時間を所定時間とする。例えば、所定時間として５秒を設定することができる。
【００６２】
また、第２の実施形態に係る開閉状態検知装置３０においても、第１の実施形態に係る開閉状態検知装置２０と同様に、筐体扉１ｂの開閉を検知する開閉検知手段（図１に示す開閉検知センサ２１）を設けてもよい。
【００６３】
＜第３の実施形態＞
第３の実施形態に係る開閉状態検知装置４０は、所定期間における筐体扉１ｂの開放速度を検知する開放速度検知センサ４１を設け、開放速度検知センサ４１における検知状態に応じて、筐体扉１ｂの異常開放状態を検知するようにしたものである。
【００６４】
図３は、第３の実施形態に係る開閉状態検知装置を示すもので、（ａ）は筐体本体および筐体扉の模式図、（ｂ）は開放速度検知センサの模式図、（ｃ）は正常開放時に開放速度検知センサから出力されるパルスの説明図、（ｄ）は異常開放時に開放速度検知センサから出力されるパルスの説明図、（ｅ）は、開閉状態検知装置の概略構成を示すブロック図である。また、図６は、第３の実施形態に係る開閉状態検知装置おいて、筐体扉の異常開放を検知する手順を示すフローチャートである。
【００６５】
図３（ａ）に示すように、筐体扉１ｂの回動軸１９には、筐体扉１ｂの開閉に従って回動する円板状の遮蔽板４２が取り付けられており、筐体本体１ａには、遮蔽板４２に臨むようにして開放速度検知センサ４１が取り付けられている。さらに、遮蔽板４２はロータリエンコーダとなっており、遮蔽版４２の表面には、回動軸１９を中心として放射状に延びる複数の検知マーク４２ａが設けられている。
【００６６】
したがって、筐体扉１ｂが回動すると、開放速度検知センサ４１の検知部４１ａが遮蔽板４２の検知マーク４２ａを検知して、筐体扉１ｂの開放速度を検知することができる。
【００６７】
第３の実施形態に係る開閉状態検知装置４０は、図３（ｅ）に示すように、前記開放速度検知センサ４１と、条件判断部４３と、警告部４４とを備えている。条件判断部４３および警告部４４の構成は、上記実施形態１に係る開閉状態検知装置２０と同様である。
【００６８】
次に、図３（ｃ）〜（ｅ）および図６を参照して、筐体扉１ｂの異常開放を検知する手順を説明する。
条件判断部４３は、開放速度検知センサ４１における検知状態を監視しており（Ｓ３１，Ｓ３２）、筐体扉１ｂが開状態であり、かつ全閉状態から全開状態に至る期間における開放速度が所定値に達しない場合に、警報信号を発生する（Ｓ３３）。
【００６９】
一方、筐体扉１ｂが閉状態の場合、あるいは筐体扉１ｂが開状態であっても、全閉状態から全開状態に至る期間における開放速度が所定値に達した場合には、警報信号は発生しない。
【００７０】
なお、開放角度検知センサ４１の検知部４１ａが検知マーク４２ａを検知する毎に検知パルスが発生するが、この検知パルスの間隔および個数を判断することにより、筐体扉１ｂの開放速度を検知することができる。
【００７１】
すなわち、筐体扉１ｂが全閉状態から全開状態まで一気に開かれた場合には、図３（ｃ）に示すように、開放速度検知センサ４１からの検知パルスが略等間隔で所定個数（例えば１０個）となる。筐体扉１ｂがこのように開かれた場合には、所定の時間内の検知パルス数が所定の個数であるか、または夫々のパルス間隔が所定の間隔であるかといった条件から、メンテナンス等による正常開放状態と判断して、警報信号は発生しない。
【００７２】
一方、筐体扉１ｂが不正行為により不自然に開かれ場合には、図３（ｄ）に示すように、検知パルス数が所定個数（例えば１０個）となったとしても、検知パルスが等間隔に発生しない。また、不正行為により全閉状態から少しだけ開かれた場合には、開放速度検知センサ４１からの検知パルスが所定個数よりも少なくなる（例えば２個）。このように、検知パルスが乱れている場合には、不正行為による異常開放状態と判断して、警報信号を発生する。
【００７３】
なお、筐体扉１ｂを開方向に回動する場合のみならず、閉方向に回動する場合にも検知パルスが発生するが、検知パルスの個数を合わせるために筐体扉１ｂを開閉した場合、例えば筐体扉１ｂを中間位置まで開いた後、筐体扉１ｂを閉方向に戻り回動させたとしても、中間位置において検知パルスの幅に乱れが生じるため、不自然な開放であると判断することができる。
【００７４】
そして、警報信号が発生されると、警告部４４により筐体扉１ｂが異常開放状態である旨の報知が行われる。具体的には、表示ランプ８ａ，８ｂ，８ｃのいずれかを点灯あるいは点滅させたり、スピーカ１８ａ，１８ｂから警告音を発生する。
【００７５】
さらに、警報信号は、遊技店内の適宜箇所に設けられた管理装置５０に送信される。管理装置５０では、警報信号を受信すると、管理室内に設置された警告ランプ（図示せず）を点灯あるいは点滅させたり、スピーカ（図示せず）から警告音を発生する。
【００７６】
第３の実施形態に係る開閉状態検知装置によれば、不正行為を行おうとして筐体扉１ｂを少しだけ開く等、所定期間内に筐体扉１ｂの開放速度が所定値に達しない場合に警告を行うことができ、筐体扉１ｂの不正開放を予防することができる。
【００７７】
なお、異常開放状態を検知するための所定期間および開放速度の所定値は、特に規定されるものではないが、メンテナンス等に伴う正常な開放時において、筐体扉１ｂが全閉状態から全開状態となる期間を所定期間とし、この期間における筐体扉１ｂの通常の開放速度を所定値とする。
【００７８】
また、第３の実施形態に係る開閉状態検知装置においても、第１の実施形態に係る開閉状態検知装置と同様に、筐体扉１ｂの開閉を検知する開閉検知手段（図１における開閉検知センサ２１）を設けてもよい。
【００７９】
＜他の実施形態＞
本発明に係る遊技機は、上記実施形態に限定されるものではなく、種々の変更を加えて実施することが可能である。
例えば、開閉検知センサ２１、開放角度検知センサ２２、開閉状態検知センサ３１、および開放速度検知センサ４１は、どのようセンサであってもよく、光学センサ（透過型あるいは反射型）、磁気センサ、マイクロセンサ等を用いることができる。なお、これらの場合には、遮蔽板の検知マークをスリットに変更するなどのように、センサが検知し得る形状または素材にすることが必要である。
【００８０】
また、パチスロ遊技機に警告部２５，３４，４４を設けずに、管理装置５０等で警報信号を管理するようにしてもよい。あるいは、管理装置５０に対して警報信号を送信せずに、パチスロ遊技機に設けた警告部２５，３４，４４のみによって警告を行ってもよい。さらに、管理装置５０では警告を行わずに、警報信号の履歴を管理するようにしてもよい。
【００８１】
また、警報信号を送信するパチスロ遊技機の外部装置は、遊技店内に設置された管理装置に限られず、サービスセンター等に設置された集中管理装置に対して警報信号を送信してもよい。この場合、パチスロ遊技機（管理装置）と集中管理装置とは、公衆電話回線、専用通信線、無線通信等の手段を用いて接続される。
【００８２】
また、本発明は、筐体本体１１ａに対して筐体扉１１ｂを開閉可能に取り付けた筐体構造であれば、パチンコ機、ゲームマシン、スロットマシン、両替機、カード発行機等、他の筐体構造にも適用することができる。
【００８３】
【発明の効果】
以上説明したように、本発明に係る筐体構造では、筐体扉の開閉を検知するための手段を設け、筐体扉が開状態であり、かつ所定の開放角度に達しない状態が所定時間以上継続したと判断された場合に、不正行為等による異常開放状態であると判断して警報信号を発生させることができる。
【図面の簡単な説明】
【図１】本発明の第１の実施形態に係る開閉状態検知装置を示すもので、（ａ）は筐体本体および筐体扉の模式図、（ｂ）は開放角度検知センサの模式図、（ｃ）は開閉状態検知装置の概略構成を示すブロック図
【図２】第２の実施形態に係る開閉状態検知装置を示すもので、（ａ）は筐体本体および筐体扉の模式図、（ｂ）は全閉状態における開閉状態検知センサの模式図、（ｃ）は全開状態における開閉状態検知センサの模式図、（ｄ）は、開閉状態検知装置の概略構成を示すブロック図
【図３】第３の実施形態に係る開閉状態検知装置を示すもので、（ａ）は筐体本体および筐体扉の模式図、（ｂ）は開放速度検知センサの模式図、（ｃ）は正常開放時に開放速度検知センサから出力されるパルスの説明図、（ｄ）は異常開放時に開放速度検知センサから出力されるパルスの説明図、（ｅ）は、開閉状態検知装置の概略構成を示すブロック図
【図４】第１の実施形態に係る開閉状態検知装置おいて、筐体扉の異常開放を検知する手順を示すフローチャート
【図５】第２の実施形態に係る開閉状態検知装置おいて、筐体扉の異常開放を検知する手順を示すフローチャート
【図６】第３の実施形態に係る開閉状態検知装置おいて、筐体扉の異常開放を検知する手順を示すフローチャート
【図７】本発明の実施形態に係るパチスロ遊技機の斜視図
【符号の説明】
１  遊技機筐体
１ａ  筐体本体
１ｂ  筐体扉
２  正面パネル
３ａ，３ｂ，３ｃ  リール
４ａ，４ｂ，４ｃ  表示窓
５  液晶表示装置
６ａ，６ｂ，６ｃ，６ｄ，６ｅ  有効ライン表示
７ａ，７ｂ，７ｃ  有効ラインランプ
８ａ，８ｂ，８ｃ  表示ランプ
９  メダル投入口
１０  ベットボタン
１１  貯留メダル精算ボタン
１２  スタートレバー
１３ａ，１３ｂ，１３ｃ  ストップボタン
１４  腰部パネル
１５  メダル払出口
１６  メダル貯留皿
１７  配当表パネル
１８ａ，１８ｂ  スピーカ
１９  回動軸
２０  開閉状態検知装置（第１の実施形態）
２１  開閉検知センサ
２１ａ  検知部
２２  開放角度検知センサ
２２ａ  検知部
２３  遮蔽板
２３ａ  切り欠き部
２４  条件判断部
２５  警告部
３０  開閉状態検知装置（第２の実施形態）
３１  開閉状態検知センサ
３１ａ  検知部
３２  遮蔽板
３２ａ，３２ｂ  切り欠き部
３３  条件判断部
３４  警告部
４０  開閉状態検知装置（第３の実施形態）
４１  開放速度検知センサ
４１ａ  検知部
４２  遮蔽板
４２ａ  検知マーク
４３  条件判断部
４４  警告部
５０  管理装置
【図１】
2004329649.tif 000003
【図２】
2004329649.tif 000004
【図３】
2004329649.tif 000005
【図４】
2004329649.tif 000006
【図５】
2004329649.tif 000007
【図６】
2004329649.tif 000008
【図７】
2004329649.tif 000009